(57)【要約】【課題】エアートラフィックを軽減しつつ、気象状況の変化を適切に送信できる気象局２０を提供する。【解決手段】Ｓ６１，Ｓ６２，Ｓ６３，Ｓ６４，Ｓ６５では、気象観測装置２５においてそれぞれ観測した現在の雨量、気温、風向、風速、気圧及び湿度について、それらが、気象情報パケットの最短送信時間間隔に対応する範囲に含まれているか否かを判定する。気象情報パケットの最短送信時間間隔に対応する範囲は、各気象項目について天候不良時の値範囲に設定されている。Ｓ６１，Ｓ６２，Ｓ６３，Ｓ６４，Ｓ６５のすべての判定が否であれば、Ｓ６６へ進み、少なくとも１つの判定が正であれば、Ｓ６７へ進む。送信時間間隔は、Ｓ６６ではユーザが事前に設定しているものに設定され、Ｓ６７では、ユーザの事前設定に関係なく最短時間に設定される。送信時間間隔置きに、気象情報が気象情報パケットで送信される（Ｓ６８正→Ｓ６９）。【選択図】図６
2010071952.tif 000002
【特許請求の範囲】
【請求項１】
気象観測装置より当地の現在の気象情報を取得する気象情報取得手段、
前記気象情報に基づき気象ビーコンの送信時間間隔を設定する送信時間間隔設定手段、及び
前記送信時間間隔置きに現在の気象情報に係る気象ビーコンを無線で送信する気象情報送信手段、
を備えることを特徴とする気象局。
【請求項２】
前記送信時間間隔設定手段は、気象情報に含まれる気象項目の値に基づき気象ビーコンの送信時間間隔を設定することを特徴とする請求項１記載の気象局。
【請求項３】
前記送信時間間隔設定手段は、所定の気象項目についてその値の変化が速いと判断したとき、遅いと判断したときよりも、前記送信時間間隔が短くなるように設定することを特徴とする請求項２記載の気象局。
【請求項４】
前記送信時間間隔設定手段は、所定の気象項目についてその値が注意範囲であると判断したとき、非注意範囲であると判断したときよりも前記送信時間間隔が短くなるように設定することを特徴とする請求項２又は３記載の気象局。
【請求項５】
気象局から気象ビーコンを無線で受信する気象ビーコン受信手段、
気象ビーコンに含まれる気象項目の値が警告範囲のものであるか否かを判定する判定手段、及び
前記判定手段の判定が正である場合には警告を行う警告手段、
を備えることを特徴とする気象情報受信局。
【請求項６】
前記警告手段は、気象局からの気象情報の受信に伴い表示部に表示する気象情報割込み画面において、気象項目値が警告範囲である場合には、警告範囲外である場合よりも強調して該気象項目値を表示することを特徴とする請求項５記載の気象局。
【請求項７】
前記警告手段は、前記判定手段の判定が正である場合は、前記気象情報割込み画面の表示の際に通常の割込み音とは異なる音を出力することを特徴とする請求項６記載の気象局。
【請求項８】
前記判定手段は、所定の地域の気象局からの気象情報の気象項目の値のみを判定対象とすることを特徴とする請求項５〜７のいずれかに記載の気象情報受信局。
【請求項９】
気象観測装置より当地の現在の気象情報を取得する気象情報取得ステップ、
前記気象情報に基づき気象ビーコンの送信時間間隔を設定する送信時間間隔設定ステップ、及び
前記送信時間間隔置きに現在の気象情報に係る気象ビーコンを無線で送信する気象情報送信ステップ、
を備えることを特徴とする気象局制御方法。
【請求項１０】
気象局から気象ビーコンを無線で受信する気象ビーコン受信ステップ、
気象ビーコンに含まれる気象項目の値が警告範囲のものであるか否かを判定する判定ステップ、及び
前記判定ステップの判定が正である場合には警告を行う警告ステップ、
を備えることを特徴とする気象情報受信局制御方法。
【請求項１１】
請求項１〜４のいずれかに記載の気象局の各手段としてコンピュータを機能させるプログラム。
【請求項１２】
請求項５〜８のいずれかに記載の気象情報受信局の各手段としてコンピュータを機能させるプログラム。
【発明の詳細な説明】
【技術分野】
【０００１】
本発明は、無線通信により送受する気象情報を処理する気象局、気象情報受信局、制御方法及びプログラムに関するものである。
【背景技術】
【０００２】
特許文献１は、遠隔地の自動気象観測装置等が転倒等の異常状態になった場合には、異常状態をインターネットの電子メールでセンターへ送信することを開示する（特許文献１の０００９）。
【０００３】
従来の気象局は、無線機とそれに外付けされた気象観測装置とを含み、無線機が、気象観測装置の観測した気象情報をパケット形式で無線で送信するようになっている。気象局では、ユーザは、メニューから所定の設定画面を選択するとともに、該設定画面で複数の送信時間間隔（例：５分、１０分及び３０分）の中から送信時間間隔を設定するようになっており、気象局は、該送信時間間隔で気象情報パケットを送信している。
【特許文献１】特開２００１−１６３４３号公報
【発明の開示】
【発明が解決しようとする課題】
【０００４】
気象情報パケットは、気象状況が悪いときなどは、頻繁に情報を送信すべきであるが、送信時間間隔を短いものに変更するためには、ユーザが一々メニュー画面を呼出して設定を変更する必要がある。
【０００５】
また、気象状況が良い場合には、気象情報は頻繁に変化しないので、送信時間間隔を長めに設定して、エアートラフィックの低減が望まれるが、長めに設定する場合も、ユーザが一々メニュー画面を呼出して設定を変更する必要がある。
【０００６】
さらに、気象観測装置は、通常、無線機と共に野外に設置され、気象局の無線機も、該気象観測装置の付近に設置されており、人は、該無線機に速やかに行き着くことができる近くではあるものの、該無線機から離れた場所にいる場合がほとんどである。したがって、気象変化に伴って、気象情報パケットの送信時間間隔を切替えることは煩雑となる。
【０００７】
一方、気象情報受信局は多くの気象局から気象情報パケットを受信するので、自局の近くの気象局から気象状況が悪い情報を受信しても、ユーザはそれに気付き難い。また、気象状況が悪化しているときも安定しているときも、従来の気象情報受信局は、常に同じ受信音及び受信画面であるので、ユーザは、受信気象データを確認しない限り、気象状況を把握できない。
【０００８】
特許文献１は、気象情報の送信時間間隔の制御や気象情報の受信処理の改善についてはなんら言及していない。
【０００９】
本発明の目的は、気象情報についての処理を改善した気象局、気象情報受信局、制御方法及びプログラムを提供することである。
【課題を解決するための手段】
【００１０】
本発明によれば、気象局では、気象状況に合わせて気象局からの気象情報の送信時間間隔を変更する。
【００１１】
本発明によれば、気象情報受信局では、気象局から無線で受信した気象情報に含まれる気象観測装置の値が警告範囲となっている場合には、ユーザに警告を出す。
【００１２】
本発明の気象局は次のものを備えている。
気象観測装置より当地の現在の気象情報を取得する気象情報取得手段、
前記気象情報に基づき気象ビーコンの送信時間間隔を設定する送信時間間隔設定手段、及び
前記送信時間間隔置きに現在の気象情報に係る気象ビーコンを無線で送信する気象情報送信手段。
【００１３】
本発明の気象情報受信局は次のものを備えている。
気象局から気象ビーコンを無線で受信する気象ビーコン受信手段、
気象ビーコンに含まれる気象項目の値が警告範囲のものであるか否かを判定する判定手段、及び
前記判定手段の判定が正である場合には警告を行う警告手段。
【００１４】
本発明の気象局制御方法は次のステップを備えている。
気象観測装置より当地の現在の気象情報を取得する気象情報取得ステップ、
前記気象情報に基づき気象ビーコンの送信時間間隔を設定する送信時間間隔設定ステップ、及び
前記送信時間間隔置きに現在の気象情報に係る気象ビーコンを無線で送信する気象情報送信ステップ。
【００１５】
本発明の気象情報受信局制御方法は次のものを備えている。
気象局から気象ビーコンを無線で受信する気象ビーコン受信ステップ、
気象ビーコンに含まれる気象項目の値が警告範囲のものであるか否かを判定する判定ステップ、及び
前記判定ステップの判定が正である場合には警告を行う警告ステップ。
【００１６】
本発明のプログラムは前述の気象局の各手段としてコンピュータを機能させる。本発明の別のプログラムは前述の気象情報受信局の各手段としてコンピュータを機能させる。
【発明の効果】
【００１７】
本発明によれば、気象情報に係る処理を改善して、気象局及び気象情報受信局の利便性を高めることができる。
【発明を実施するための最良の形態】
【００１８】
図１は気象情報無線システム１０の概略図である。気象情報無線システム１０は、複数の気象局Ａ，Ｂ，Ｃと自局としての気象情報受信局１５とを含み、気象局Ａ，Ｂ，Ｃ及び気象情報受信局は無線機を装備している。気象局Ａ，Ｂ，Ｃは、設置地点を固定されているとともに、無人状況となっている。これに対し、気象情報受信局１５は、自宅や事務所等の所定場所に設置される場合だけでなく、ユーザに携帯されたり、タクシー等の移動体に搭載されたりする場合もある。
【００１９】
気象情報受信局１５は気象局Ａ，Ｂ，Ｃからそれが観測した気象情報を気象情報パケットで受信する。図１に記載されている圏内、基準値及び警告等については後述する。
【００２０】
図２は気象局２０の詳細な構成図である。なお、気象局２０は気象局Ａ，Ｂ，Ｃを総称して呼んでいる。気象情報受信局１５の構成は、気象局２０の構成から気象観測装置２５を除去しただけである。気象局２０は、通常、人が速やかに行く着くことができる場所に、人の居場所から離れて、設置されている。
【００２１】
気象局２０は、パネルユニット２１、ラジオユニット２２及び気象観測装置２５を備えている。パネルユニット２１及びラジオユニット２２は１つの無線機を構成し、気象観測装置２５は、該無線機に分離自在に外付けされるようになっている。気象観測装置２５は、雨量、気温、風向、風速、気圧及び湿度の複数の気象項目について所定のセンサを用いて観測する。パネルユニット２１及び気象観測装置２５は、それぞれＲＳ２３２Ｃコネクタ２７，２８を備え、ＲＳ２３２Ｃコネクタ２７−ＲＳ２３２Ｃコネクタ２８間の接続を介して気象観測装置２５の観測データがパネルユニット２１へ送られる。
【００２２】
パネルユニット２１は、ＲＳ２３２Ｃコネクタ２７の他にも、表示部３０，操作部３１，メインマイコン３２，モデム３３，ＴＮＣ（Terminal Node Controller）マイコン３４，ＥＥＰＲＯＭ（Electronically Erasable and Programmable Read Only Memory）３５及びＲＪ−４５コネクタ３６を備えている。ＲＳ２３２Ｃコネクタ２７は、気象観測装置２５に代えて、ＧＰＳ受信機を接続可能になっている。パネルユニット２１は、２．５ｍｍのステレオ（Stereo）プラグ端子も装備する。
【００２３】
表示部３０は、ＬＣＤ（Liquid Crystal Display：液晶ディスプレイ）から成り、メインマイコン３２からのデータに基づき各種の表示を行う。操作部３１は、操作キー、クリックエンコーダ及びアナログボリュームを含み、操作部３１に対するユーザ操作の情報はメインマイコン３２へ送られる。メインマイコン３２は、ＴＮＣマイコン３４及びＥＥＰＲＯＭ３５とデータを送受し、所定の処理を実施する。
【００２４】
モデム３３は、ＲＪ−４５コネクタ３６とＴＮＣマイコン３４との間に介在し、ＲＪ−４５コネクタ３６との間で通信速度１２００ｂｐｓ又は９６００ｂｐｓでデータを送受する。メインマイコン３２は、気象観測装置２５から気象情報を受ける。
【００２５】
ラジオユニット２２は、マイコンメインマイコン４０、送受信部４１、内蔵スピーカ４２、アンテナ端子４３、及びＲＪ−４５コネクタ４４、４５を備える。マイコンメインマイコン４０は、ラジオユニット２２内の各種素子を制御する。送受信部４１は、内蔵スピーカ４２、アンテナ端子４３及びＲＪ−４５コネクタ４４と信号を送受する。アンテナ端子４３にはアンテナが接続され、ＲＪ−４５コネクタ４５にはマイクロホン（図示せず）が接続される。
【００２６】
図３は気象局２０において気象情報パケットの送信を設定する設定画面である。該設定画面は、「ＷＥＡＴＨＥＲ  ＳＴＡＴＩＯＮ」を表示して、気象情報パケットの送信を設定する画面であることを示している。該設定画面では、現在は、送信（ＴＸ）の設定が選択されており、その設定値はＯＦＦになっている。ユーザは操作部３１の所定の項目値選択キーを操作することにより送信についてＯＮ（気象情報パケットを送信すること）とＯＦＦ（気象情報パケットを送信しないこと）とを切替えることができる。ユーザは、また、設定項目選択キーを操作して、送信（ＴＸ）の設定から気象情報パケットの送信時間間隔（ＴＸ  ＩＮＴＥＲＶＡＬ）の設定へ切替える。送信時間間隔の設定画面では、気象情報パケットの送信時間間隔は１０分に設定されている。気象情報パケット送信時間間隔は、５分、１０分及び３０分の３段階に切替えられるようになっており、この切替も操作部３１の項目値選択キーの操作により行われる。
【００２７】
気象局２０の処理について概略を説明する。より具体的な説明は後述の図６のフローチャートにおいて行う。気象局２０では、気象観測装置２５からパネルユニット２１のＲＳ２３２Ｃコネクタ２７へ送られて来た気象情報は、ＴＮＣマイコン３４へ送られる。ＴＮＣマイコン３４では気象情報を送信用の形式に変換し、メインマイコン３２へ渡す。メインマイコン３２は、渡された雨量、気温、風向、風速、気圧及び湿度の気象情報に対して所定の処理を実施する。
【００２８】
図４は気象情報に含まれている各気象項目に対する基準値の設定画面を示している。図４の設定画面は、気象局２０だけでなく、気象情報受信局１５にも適用される。
【００２９】
気象局２０における基準値とは、各気象項目についてその観測値が所定範囲内に存在する場合に気象情報パケットの送信時間間隔を前述の３段階の内の最小値（１０分）にするときに、該所定範囲の上限又は下限を意味する。したがって、各気象項目について、観測値が基準値以下になると（基準値が上限である場合）、又は基準値以上になると（基準値が下限である場合）、気象情報パケット送信時間間隔は最小値（１０分）に変更される。気象局２０では、該所定範囲は、最小送信時間間隔設定範囲（又は送信頻度最大範囲）を意味する。
【００３０】
気象情報受信局１５における基準値とは、気象情報受信局１５が気象局２０から受信した気象情報各気象項目についてその観測値が所定の範囲内に存在する場合に気象情報受信局１５のユーザに警告を出すときに、該所定範囲の上限又は下限を意味する。したがって、各気象項目について、受信した観測値が基準値以下になると（基準値が上限である場合。例：図４の気温では、基準値−５°Ｃを上限とする−５°Ｃ以下の範囲において、基準値−５°Ｃ以下になると）、又は基準値以上になると（基準値が下限である場合。例：図４の気温では、基準値３５°Ｃを下限とする３０°Ｃ以上の範囲において、基準値３５°Ｃ以上になると）、気象情報受信局１５における観測地表示画面の表示時に警告音や該当データの強調表示（図５で後述）が行われる。該所定範囲は、各気象項目について気象情報受信局１５において、ユーザへの警告範囲を意味する。なお、この気象情報無線システム１０では、気象局２０における最小送信時間間隔設定範囲（又は送信頻度最大範囲）と気象情報受信局１５におけるユーザへの警告範囲とは一致している。
【００３１】
気象局２０における最小送信時間間隔設定範囲及び気象情報受信局１５における警告範囲は、好ましくは、気象局２０と気象情報受信局１５とで同一に設定されるが、設定は気象局２０及び気象情報受信局１５において個々に行うようになっているので、気象局２０及び気象情報受信局１５に別々のものを設定することもできるし、気象局２０ごとに別々のものを設定することもできる。基準値は、雨量、気温、風速、気圧、湿度の５種類を設定でき、ＥＥＰＲＯＭ３５に記憶される。
【００３２】
図４では、気象局２０における最小送信時間間隔設定範囲及び気象情報受信局１５における警告範囲は、雨量については１時間当たり５ｍｍ以上、気温については−５°Ｃ以下と、３５°Ｃ以上、風速については２０ｍ／ｈ以上、気圧については９９０ｈＰａ以下、湿度は１０％以下と８０％以上としている。気象局２０における最小送信時間間隔設定範囲及び気象情報受信局１５における警告範囲は、各気象項目について悪天候時、すなわち各気象項目の値について速い変化が予想されるときの値範囲として設定されている。天候が良好な場合には、各気象項目の値は安定しており、変化は十分に緩やかであると予想される。
【００３３】
図４において定義されている「自局からの距離」は、気象情報受信局１５の警告範囲設定画面にのみ存在し、図４では１０ｋｍ以下に設定されている。すなわち、気象情報受信局１５を中心とする半径１０ｋｍの円形の地域（図１の圏内の領域に相当する。）に存在する気象局２０のみが警告対象気象局となる。具体的には、図２において、気象局Ｂ，Ｃは警告対象気象局２０であり、気象局Ａは警告対象外の気象局となる。したがって、図１に記載するように、気象局Ｂ，Ｃについては、基準値を越えていれば警告音、警告表示が行われ、また、気象局Ａは、範囲外の気象情報を気象情報受信局１５へ送信することになるから、気象局Ａからの気象情報に対しては警告音、警告画面に移行しないことになる。警告音及び警告表示については詳しく後述する。
【００３４】
気象局２０の作用説明に戻って、気象情報パケットは、メインマイコン３２からラジオユニット２２のメインマイコン４０へ送られ、アンテナ端子４３に接続されているアンテナ（図示せず）より電波として送信される。
【００３５】
気象情報受信局１５における作用の概略を説明する。気象情報受信局１５では、ラジオユニット２２の送受信部４１は、アンテナ端子４３に接続されているアンテナで受信したパケット信号をパネルユニット２１へ送る。パネルユニット２１では、モデム３３が該パケット信号を受け取り、それを復号する。復号されたビットデータ列はＴＮＣマイコン３４が処理し、その結果はメインマイコン３２へ送られる。
【００３６】
気象情報受信局１５のメインマイコン３２がビットデータ列に対して行う具体的な処理は図７のフローチャートを参照して後述する。気象情報受信局１５の作用について概略を説明する。
【００３７】
気象情報受信局１５は、気象局２０から受信した気象情報の各気象項目についてその値が図４の警告範囲に含まれるものであるか否かを判断し、警告範囲内と判断した場合には、内蔵スピーカ４２から気象警告音を発ししつつ、表示部３０において警告表示を行う。気象警告音及び警告表示機能を動作させる対象となる気象情報を送信した気象局２０は、自局を中心に、図４の自局からの距離の設定値を半径とする円形の地域に存在する気象局２０に限定される。図２の例では、気象局Ａは警告地域外となっており、気象局Ｂ，Ｃは警告地域内となっている。観測値が警告範囲内となっている気象項目が存在していても、それが所定地域内の気象局２０からのものである場合には、気象情報受信局１５において気象警告音及び警告画面の動作は行わない。
【００３８】
図５は気象情報受信局１５においてその表示部３０に表示する気象情報確認画面を示す。気象情報確認画面には、タイトルとして「ＭＹ  ＷＥＡＴＨＥＲ  ＳＴＡＩＯＮ」が表示され、雨量、気温、風向、風速、気圧及び湿度の項目についてアイコンと共にその下に値が単位付きで表示される。そして、警告範囲となっている値について、該値が警告範囲のものであることを強調する表示、例えば点滅を行う。図５では、気温が警告範囲となっている。従来の気象情報確認画面では、気温が警告範囲となっていても、警告範囲外の雨量と同様に、連続表示されていた。
【００３９】
図６は気象情報送信ルーチン６０のフローチャートである。気象情報送信ルーチン６０は気象局２０のメインマイコン３２において実施される。Ｓ６１，Ｓ６２，Ｓ６３，Ｓ６４，Ｓ６５では、気象観測装置２５においてそれぞれ観測した現在の雨量、気温、風向、風速、気圧及び湿度について、それらが、気象情報パケットの最短送信時間間隔に対応する範囲に含まれているか否かを判定する。Ｓ６１，Ｓ６２，Ｓ６３，Ｓ６４，Ｓ６５のすべての判定が否であれば、Ｓ６６へ進み、少なくとも１つの判定が正であれば、Ｓ６７へ進む。雨量、気温、風向、風速、気圧及び湿度について気象情報パケットの最短送信時間間隔に対応する範囲とは、ユーザが気象局２０において図４の設定画面を使って設定した基準値を上限又は下限とする値範囲である。
【００４０】
Ｓ６６では、気象情報パケットの送信時間間隔を、ユーザが気象局２０に対してその設定画面（図４）で設定中である値に設定し、次のＳ６８へ進む。Ｓ６７では、気象情報パケットの送信時間間隔を最短の値（気象局２０では５分、１０分及び３０分の３段階の内の５分）に設定し、次のＳ６８へ進む。
【００４１】
Ｓ６８では、時間が気象情報パケットの前回の送信時刻から送信時間間隔だけ経過しているか否かを判定し、判定が正であれば、Ｓ６９へ進み、否であれば、気象情報送信ルーチン６０を終了する。Ｓ６９では、気象情報パケットを送信する。こうして、現在の雨量、気温、風向、風速、気圧及び湿度の内の少なくとも１つが、各気象項目について気象情報パケットの最短送信時間間隔に対応する範囲として設定されている範囲に含まれていれば、気象情報パケットの送信時間間隔は最短にされ、気象局２０は気象情報パケットを最短時間間隔置きに送信する。
【００４２】
図７は気象情報表示ルーチン８０のフローチャートである。気象情報表示ルーチン８０は気象情報受信局１５のメインマイコン３２において実施される。Ｓ８１，Ｓ８２，Ｓ８３，Ｓ８４，Ｓ８５では、それぞれ気象局２０から受信した最新の雨量、気温、風向、風速、気圧及び湿度について、それらが、警告範囲に含まれているか否かを判定する。Ｓ８１，Ｓ８２，Ｓ８３，Ｓ８４，Ｓ８５のすべての判定が否であれば、Ｓ８６へ進み、少なくとも１つの判定が正であれば、Ｓ８７へ進む。雨量、気温、風向、風速、気圧及び湿度について警告範囲とは、ユーザが気象情報受信局１５において図４の設定画面を使って設定した基準値を上限又は下限とする値範囲である。
【００４３】
Ｓ８６では、通常の割込み音としてのビープ音を鳴らして、気象局２０から受信した雨量、気温、風向、風速、気圧及び湿度の各気象項目の値を表示部３０に割込み、表示する。Ｓ８７では、ビープ音とは明確に異なる警告音を鳴らして、警告範囲の気象項目については、図５のように、点滅させて各気象項目値を表示する。
【００４４】
こうして、気象情報受信局１５において気象局２０の気象情報の受信と共に気象情報受信局１５の表示部３０に観測データの割込み画面が表示され、該割込み画面では、雨量、気温、風向、風速、気圧及び湿度の各値について、もしそれがその警告範囲として気象情報受信局１５において設定した範囲に含まれているならば、該値は点滅して表示される。また、該割込み画面が表示開始された時は、所定の警告音が内蔵スピーカ４２から一定時間又は該割込み画面の表示の全期間、出力される。
【００４５】
図８は気象局１００のブロック図である。気象局１００の一例は気象局２０（図２）である。気象局１００は、気象情報取得手段１０１、送信時間間隔設定手段１０２、及び気象情報送信手段１０３を備えている。
【００４６】
気象情報取得手段１０１は、気象観測装置１０８より当地の現在の気象情報を取得する。送信時間間隔設定手段１０２は、気象情報に基づき気象ビーコンの送信時間間隔を設定する。気象情報送信手段１０３は、送信時間間隔置きに現在の気象情報に係る気象ビーコンを無線で送信する。
【００４７】
気象観測装置１０８の具体例は気象観測装置２５（図２）である。気象情報は、その気象項目として例えば雨量、気温、風向、風速、気圧及び／又は湿度を含む。気象ビーコンは典型的にはパケット形式で送信される。気象ビーコンは、典型的には、気象情報の他に気象局１００のＩＤ及び／又は現在地の情報を含む。
【００４８】
気象情報に応じて、すなわち気象状況に応じて気象ビーコンの送信時間間隔が調整されることにより、気象ビーコンの受信側は、気象局１００における気象状況の変化を的確に把握できるとともに、エアートラフィックを低減することができる。
【００４９】
好ましくは、送信時間間隔設定手段１０２は、気象情報に含まれる気象項目の値に基づき気象ビーコンの送信時間間隔を設定する。気象ビーコンの送信時間間隔の設定に使用する気象項目は、気象情報に含まれる全部の気象項目でなくてもよい。
【００５０】
好ましくは、送信時間間隔設定手段１０２は、所定の気象項目についてその値の変化が速いと判断したとき、遅いと判断したときよりも、送信時間間隔が短くなるように設定する。値の変化が激しいときほど、その気象項目について値を頻繁に観測して、観測値を後述の気象情報受信局１２０（図９）へ報告することが望まれるからである。なお、図４では、全部の気象項目について、基準値に基づき送信時間間隔を切替えており、例えば、気温については、−５°Ｃ＜気温＜３５°Ｃの範囲では、特に送信時間間隔を最小のものに切り替えていない。「送信時間間隔設定手段１０２は、所定の気象項目についてその値の変化が速いと判断したとき、遅いと判断したときよりも、送信時間間隔が短くなるように設定する」とは、例えば、気温や気圧や湿度について、図４の範囲に関係なく、すなわち−５°Ｃ＜気温＜３５°Ｃの範囲であっても、変化が速いときは、観測値の送信時間間隔を速めようとするものである。
【００５１】
好ましくは、送信時間間隔設定手段１０２は、所定の気象項目についてその値が注意範囲であると判断したとき、非注意範囲であると判断したときよりも送信時間間隔が短くなるように設定する。注意範囲とは、図４に示されている範囲（例：雨量については５ｍｍ以上、気温については−５°Ｃ以下又は３５°Ｃ以上。）に対応する。該注意範囲は、一般的には、悪天候時の値範囲に対応している。値の変化が少なくても、悪天候時では、観測値を細かく観測して、それを後述の気象情報受信局１２０（図９）へ報告することに意義があるからである。瞬間雨量が、変化はないものの、例えば２０ｍｍ／ｈの大きな値を継続する場合には、送信時間間隔を短くして、そのことを後気象情報受信局１２０へ報告することが望まれる。
【００５２】
気象局１００の具体例としての気象局２０では、気象情報に含まれる複数の気象項目の内、少なくとも１つが最短送信時間間隔に対応する範囲にあると、一律に気象情報パケット送信時間間隔を最短のものに切替えていたが、気象局１００では、これに限定せず、気象情報に含まれる全気象項目の内の所定の複数の気象項目について、その値がすべて各気象項目の該当範囲に含まれていれば、気象ビーコン送信時間間隔を短くするように変更してもよい。
【００５３】
気象局１００の具体例としての気象局２０では、気象情報パケットの送信時間間隔は、５分、１０分及び３０分の３個から選択されるようにしているが、気象局１００における気象ビーコンの送信時間間隔は、３段階とは異なる段階で変更してもよいし、段階的でなく、連続的に変更してもよい。
【００５４】
図９は気象情報受信局１２０のブロック図である。気象情報受信局１２０の具体例は気象情報受信局１５である。気象情報受信局１２０は、気象ビーコン受信手段１２１、判定手段１２２及び警告手段１２３を備える。気象ビーコン受信手段１２１は、気象局から気象ビーコンを無線で受信する。判定手段１２２は、気象ビーコンに含まれる気象項目の値が警告範囲のものであるか否かを判定する。警告手段１２３は、判定手段１２２の判定が正である場合には警告を行う。
【００５５】
警告には、視覚的なものや聴覚的なものを含むものとする。典型的には、気象ビーコン受信手段１２１は、気象ビーコンを気象情報パケット形式で受信する。警告範囲の具体例は、図４において雨量、気温、風向、風速、気圧及び湿度について説明した警告範囲である。
【００５６】
こうして、気象情報受信局１２０では、ユーザは、重要な気象情報について警告により円滑に気付くことかできる。
【００５７】
好ましくは、警告手段１２３は、気象局からの気象情報の受信に伴い表示部に表示する気象情報割込み画面において、気象項目値が警告範囲である場合には、警告範囲外である場合よりも強調して該気象項目値を表示する。強調表示の具体例は、図５の気温についての点滅表示である。強調表示には、その他に、太文字、色変え、サイズ増大、矢印付き表示及び／又は特定表示場所等が含まれる。
【００５８】
警告手段１２３は、判定手段１２２の判定が正である場合は、気象情報割込み画面の表示の際に通常の割込み音とは異なる音を出力する。気象情報受信局１２０の具体例の気象情報受信局１５では、気象情報割込み画面の表示の際の通常の割込み音とは、図７の気象情報表示ルーチン８０のＳ８６で説明したビープ音である。通常の割込み音とは異なる音とは、通常のビーム音より大きい音、高い音、別の音色の音又は演奏音であってもよい。
【００５９】
判定手段１２２は、所定の地域の気象局からの気象情報の気象項目の値のみを判定対象とする。所定の地域とは、気象情報受信局１２０の具体例は気象情報受信局１５では、自局から１０ｋｍ以内の地域となっている。気象情報受信局１２０における所定の地域は、これに限定されず、例えば気象情報受信局１２０のユーザが関心を持つ地域範囲としてもよい。
【００６０】
図１０は気象局制御方法１３０のフローチャートである。Ｓ１３１では、気象観測装置１０８より当地の現在の気象情報を取得する。Ｓ１３２では、気象情報に基づき気象ビーコンの送信時間間隔を設定する。Ｓ１３３では、送信時間間隔置きに現在の気象情報に係る気象ビーコンを無線で送信する。
【００６１】
Ｓ１３１〜Ｓ１３３の処理は、気象局１００（図８）の気象情報取得手段１０１〜気象情報送信手段１０３の機能にそれぞれ対応している。したがって、気象情報取得手段１０１〜気象情報送信手段１０３の機能について述べた具体的態様はＳ１３１〜Ｓ１３３の処理についての具体的態様としても適用可能である。
【００６２】
図１１は気象情報受信局制御方法１４０のフローチャートである。Ｓ１４１では、気象局から気象情報を無線で受信する。Ｓ１４２では、気象情報に含まれる気象項目の値が警告範囲のものであるか否かを判定し、判定が正であれば、Ｓ１４３へ進み、否であれば、気象情報受信局制御方法１４０を終了する。Ｓ１４３では、警告を行う。
【００６３】
Ｓ１４１〜Ｓ１４３の処理は、気象情報受信局１２０（図８）の気象ビーコン受信手段１２１〜警告手段１２３の機能にそれぞれ対応している。したがって、気象ビーコン受信手段１２１〜警告手段１２３の機能について述べた具体的態様はＳ１４１〜Ｓ１４３の処理についての具体的態様としても適用可能である。
【００６４】
本発明を適用したプログラムは、コンピュータを気象局１００又は気象情報受信局１２０の各手段として機能させる。本発明を適用した別のプログラムは、気象局制御方法１３０又は気象情報受信局制御方法１４０の各ステップをコンピュータに実行させる。
【００６５】
本明細書は様々な範囲及びレベルの発明を開示している。それら発明は、本明細書で説明した様々な技術的範囲及び具体的レベルの各装置及び各方法だけでなく、拡張ないし一般化の範囲で、各装置及び各方法から独立の作用、効果を奏する１つ又は複数の要素を抽出したものや、１つ又は複数の要素を拡張ないし一般化の範囲で変更したものや、さらに、各装置間及び各方法間で１つ又は複数の要素の組合せを入れ換えたものを含む。
【図面の簡単な説明】
【００６６】
【図１】気象情報無線システムの概略図である。
【図２】気象局の詳細な構成図である。
【図３】気象局において気象情報パケットの送信を設定する設定画面である。
【図４】気象情報に含まれている各気象項目に対する基準値の設定画面を示す図である。
【図５】気象情報受信局においてその表示部に表示する気象情報確認画面を示す図である。
【００６７】
【図６】気象情報送信ルーチンのフローチャートである。
【図７】気象情報表示ルーチンのフローチャートである。
【図８】気象局のブロック図である。
【図９】気象情報受信局のブロック図である。
【図１０】気象局制御方法のフローチャートである。
【図１１】気象情報受信局制御方法のフローチャートである。
【符号の説明】
【００６８】
１００：気象局、１０１：気象情報取得手段、１０２：送信時間間隔設定手段、１０３：判定手段、１０４：気象情報送信手段、１０８：気象観測装置、１２０：気象情報受信局、１２１：気象ビーコン受信手段、１２２：判定手段、１２３：警告手段、１３０：気象局制御方法、１４０：気象情報受信局制御方法。
【図１】
2010071952.tif 000003
【図２】
2010071952.tif 000004
【図３】
2010071952.tif 000005
【図４】
2010071952.tif 000006
【図５】
2010071952.tif 000007
【図６】
2010071952.tif 000008
【図７】
2010071952.tif 000009
【図８】
2010071952.tif 000010
【図９】
2010071952.tif 000011
【図１０】
2010071952.tif 000012
【図１１】
2010071952.tif 000013